(57)【要約】【課題】  被冷却物たる室内の物品に冷風を吹き付けることなく効率良く冷却を行うことができ、しかもランニングコストの低減も期すことのできる冷蔵倉庫や環境試験室に好適な冷却室を提供する。【解決手段】  断熱層２ａを有する外壁体２の内側に、この外壁体と離間する内壁体３を有し、外壁体と内壁体との間に冷却空気が流通される冷気循環路４を備え、前記内壁体の内側に、室内空気を吸入し、前記内壁体の内面に沿って室内空気を送出する送風機９、１０を設けた。【選択図】  図１
2006138489.tif 000002
【特許請求の範囲】
【請求項１】
断熱層を有する外壁体の内側に、この外壁体と離間する内壁体を有し、外壁体と内壁体との間に冷却空気が流通される冷気循環路を備え、前記内壁体の内側に、室内空気を吸入し、前記内壁体の内面に沿って室内空気を送出する送風機を設けてなる冷却室。
【請求項２】
前記内壁体における天井部分の下面に、室内空気を吸入し、天井下面に沿って空気を拡散送出する送風機を設けてなる請求項１に記載の冷却室。
【請求項３】
前記冷却室の出入口部分に室内空気を送出する送風機を、出入口の扉が閉ざされている場合には他の送風機の運転、停止と同様に運転、停止が制御されるが、出入口の扉が開かれている間は、他の送風機が停止されていても運転されて出入口にエアカーテンが形成されるように構成してなる請求項１に記載の冷却室。
【発明の詳細な説明】
【技術分野】
【０００１】
本発明は室内に直接冷風を送り込むことなく冷却を行う無風冷却タイプの冷却室に関する。
【背景技術】
【０００２】
冷蔵倉庫や環境試験室などに利用される室内を冷却する場合には、室内にユニットクーラ等の冷却手段を設け、室内空気を冷却して循環させるのが一般的である。
【０００３】
しかし、例えば冷蔵倉庫内に冷凍食品を保管する場合のように室内の物品に冷風による乾燥が懸念されるケースや、環境試験室において供試体に冷風が吹き付けられると試験結果に影響を及ぼすおそれがある場合など、室内の物品に冷風を当てないようにしなければならない場合には、冷却室の外壁の内側に外壁と離間する内壁を設け、外壁と内壁との間を冷却空気の循環路としてこの循環路を流れる空気の冷熱を内壁を介して被冷却室内に輻射せしめて伝達するようにする無風冷却を行う場合がある（例えば、特許文献１、２参照）。
【０００４】
上述した無風冷却は、循環路を流過する冷却空気と室内空気の間に内壁が介在するので、冷却空気を直接室内に送出する場合に比して冷却効率が低く、また室内温度にむらが生じ易く、温度制御も容易ではないという問題がある。
【特許文献１】実開平６−５１７６９号公報（第１〜２頁、図１〜３）
【特許文献２】特許第３５２２９７７号公報（第１〜５頁、図１〜２）
【発明の開示】
【発明が解決しようとする課題】
【０００５】
本発明は、被冷却物たる室内の物品に冷風を吹き付けることなく効率良く冷却を行うことができ、しかもランニングコストの低減も期すことのできる冷却室を提供することにある。
【課題を解決するための手段】
【０００６】
上記目的を達成するために、本発明に係る冷却室は、断熱層を有する外壁体の内側に、この外壁体と離間する内壁体を有し、外壁体と内壁体との間に冷却空気が流通される冷気循環路を備え、前記内壁体の内側に、室内空気を吸入し、前記内壁体の内面に沿って室内空気を送出する送風機を設けた構成のものとしてある。
【０００７】
また、前記内壁体における天井部分の下面に、室内空気を吸入し、天井下面に沿って空気を拡散送出する送風機を設けてなる構成のものとしてある。
【０００８】
さらに、前記冷却室の出入口部分に室内空気を送出する送風機を、出入口の扉が閉ざされている場合には他の送風機の運転、停止と同様に運転、停止が制御されるが、出入口の扉が開かれている間は、他の送風機が停止されていても運転されて出入口にエアカーテンが形成されるように構成したものとしてある。
【発明の効果】
【０００９】
本発明によれば、冷気循環路内を循環する冷却空気の冷熱は内壁体を介して冷却室内に伝導し、内壁体から輻射する冷熱によって室内空気が冷却される。
【００１０】
また、内壁体に設けた送風機によって室内空気が内壁体に沿って流され、この内壁体に沿って流れる室内空気が内壁体の冷熱を奪って冷却される。
【００１１】
したがって、室内空気は内壁体の内側に沿って流れるが、室内の物品に吹き付けられることがなく、したがって物品に対して乾燥等の冷風による影響を殆ど与えずに効率良く冷却を行うことができる。
【００１２】
しかも、室内空気が内壁体によって流動するので、内壁体からの輻射冷却だけの場合に比して室内空気の温度むらが生じにくく、室内温度の制御も正確に行うことができる。
【００１３】
また、設定室内温度が同じであれば、室内に送風機を設けない従来のものに比して冷気循環路内の冷却空気の温度を高く設定することができる。
したがって、冷凍機を高効率で運転でき、省エネルギ化を期すことができるとともに、内壁体の温度も室内に送風機を設けない従来のものに比して高くなるので、内壁への着霜を抑えることができる。
【００１４】
さらに、冷却室の出入口部分における送風機を出入口が開かれた際に駆動させるように構成したものでは、送風機からの空気をエアカーテンとして利用でき、出入口の開閉に伴う冷却室内の温度変化を可及的小ならしめることができる。
【実施例】
【００１５】
以下、本発明に係る冷却室の実施例を添付図面に示す具体例に基づいて詳細に説明する。
冷蔵倉庫や環境試験室等の冷却室１は、断熱層２ａを有する外壁体２と、この外壁体と離間する内壁体３を備え、これら外壁体と内壁体との間に冷気循環路４が形成されている。
【００１６】
上記冷気循環路内には、空気冷却装置５を設けてあり、同空気冷却装置は外部の冷凍機６から冷媒往管６ａと同復管６ｂによって冷媒が供給される蒸発器７と送風機８を備え、送風機８の駆動によって冷気循環路４内に冷却空気が循環するように構成してある。
【００１７】
しかして、内壁体３の側壁部と、天井部下面にはそれぞれ送風機９、１０を設けてあり、これら送風機は室内空気を吸入し、内壁体に沿って送出する構成のものとしてある。
【００１８】
具体的には、天井部の送風機１０には、例えば軸流ファンを採用し、送風機ケーシングの下部に設けた吸入口１０ａからの室内空気がケーシング側面にあけた複数の送出口１０ｂから外周全方向に吐出されるように構成してある。
【００１９】
また、側壁部の送風機９には、例えばクロスフローファンを採用し、側壁部の上部に設けられ、送風機ケーシングの室内中央側側面にあけた吸入口９ａから室内空気を吸入し、ケーシング下面に設けた送出口９ｂから空気を吐出するように構成してある。
【００２０】
上述した送風機９、１０は、空気冷却装置５と同様に冷却室内の温度に応じて運転、停止の制御がなされる。そして冷却室の出入口上部に設けた送風機９Ａも、通常は他の送風機と同様に運転、停止の制御がなされるが、冷却室の出入口の扉１ａが開かれると、他の送風機の運転、停止の制御に関わらず運転され、少なくとも扉１ａが閉ざされるまで運転を継続する。かくすることにより、扉が開かれている間は送風機９Ａの駆動によって出入口にエアカーテンが形成され、出入口からの外気の流入および冷却室内の冷気の流出が可及的小なるものに抑制される。
【００２１】
上述した実施例のものにおいては、冷気循環路内に空気冷却装置５を設けてあるが、冷却室の外部に空気冷却装置を設け、この空気冷却装置からダクト等の空気通路を介して冷却空気を冷気循環路４に供給するように構成する場合もある。
【００２２】
また、冷却室内の形状や冷却室内に収容される物品によっては天井部用の送風機１０を設けない場合や、側壁部用送風機を全ての側壁には設けない場合もある。
【図面の簡単な説明】
【００２３】
【図１】本発明に係る冷却室の縦断面図。
【図２】本発明に係る冷却室の横断面図。
【図３】天井部用送風機の一部を破断して示す底面図。
【符号の説明】
【００２４】
１  冷却室
２  外壁体
３  内壁体
４  冷気循環路
５  空気冷却装置
６  冷凍機
７  蒸発器
８  送風機
９  側壁部用送風機
１０  天井部用送風機
【図１】
2006138489.tif 000003
【図２】
2006138489.tif 000004
【図３】
2006138489.tif 000005